(57)【要約】【課題】電子部品の取り出しに問題が生じにくい電子部品の梱包体を実現できるようにする。【解決手段】梱包体は、長手方向に互いに間隔をおいて設けられ、それぞれに電子部品４０を収容可能な複数の凹部２１を有するキャリアテープ２０と、複数の凹部２１を覆うようにキャリアテープ２０と接着されたトップカバーテープ３０とを備えている。トップカバーテープ３０は、折り曲げ加工され、折り山３２をキャリアテープ２０側にして接着されている。【選択図】図１
2017013795.tif 000002
【特許請求の範囲】
【請求項１】
長手方向に互いに間隔をおいて設けられ、それぞれに電子部品を収容可能な複数の凹部を有するキャリアテープと、
複数の前記凹部を覆うように前記キャリアテープと接着されたトップカバーテープとを備え、
前記トップカバーテープは、折り曲げ加工され、折り山を前記キャリアテープ側にして接着されている、梱包体。
【請求項２】
前記トップカバーテープは、幅方向の中央部が折り曲げ加工されている、請求項１に記載の梱包体。
【請求項３】
前記トップカバーテープは、幅方向の複数の箇所が折り曲げ加工されている、請求項１に記載の梱包体。
【請求項４】
前記トップカバーテープは、長手方向に連続して折り曲げ加工されている、請求項１〜３のいずれか１項に記載の梱包体。
【請求項５】
前記トップカバーテープは、長手方向に断続的に折り曲げ加工されている、請求項１〜３のいずれか１項に記載の梱包体。
【請求項６】
前記凹部に電子部品が収容されている、請求項１〜５のいずれか１項に記載の梱包体。
【請求項７】
請求項１〜５のいずれか１項に記載の梱包体により梱包されている電子部品。
【請求項８】
長手方向に間隔をおいて設けられた複数の凹部を有するキャリアテープの前記凹部に電子部品を収容する工程と、
折り曲げ加工されたトップカバーテープを、折り山を前記キャリアテープ側にして、前記凹部を覆うように前記キャリアテープに接着する工程と、
前記トップカバーテープを接着した後、前記キャリアテープを、リールに巻き取る工程とを備えている、梱包方法。
【請求項９】
リールに巻き取られた、電子部品を収容した複数の凹部を有するキャリアテープと、折り曲げ加工されており、折り山を前記キャリアテープ側にして、複数の前記凹部を覆うように前記キャリアテープに接着されているトップカバーテープとを有する梱包体を引き出す工程と、
引き出された前記梱包体の前記トップカバーテープを前記キャリアテープから剥離し、前記凹部を露出させる工程と、
露出した凹部に収容された電子部品を取り出す工程とを備えている、電子部品の実装方法。
【発明の詳細な説明】
【技術分野】
【０００１】
本開示は電子部品の梱包体及び梱包方法に関する。
【背景技術】
【０００２】
一般的に、半導体装置等の電子部品の梱包には、その取り扱いが容易で電子部品の実装効率が良好な、キャリアテープを使ったテーピング梱包が多用されている。中でも半導体装置を収納するための凹部を列設したエンボステープを用いるキャリアテーピング梱包が主流である。
【０００３】
キャリアテーピング梱包においては、キャリアテープの各凹部に電子部品を収容した後、凹部を覆うようにトップカバーテープを熱圧着する。熱圧着は凹部の幅方向の両側方に行う。このようにすれば、キャリアテープを送りながら、電子部品の収容と、トップカバーテープの熱圧着と、輸送用リールへの巻き取りとを連続的に行うことができる。
【０００４】
一方、キャリアテープにトップカバーテープを熱圧着する際に、熱膨張により、トップカバーテープが湾曲する。トップカバーテープの湾曲により隙間が生じると、キャリアテープに振動が加わった際に電子部品が凹部からはみ出してしまう恐れがある。トップカバーテープの湾曲を抑えるために、凹部同士の間において、凹部の両側方に加えて幅方向の中央部も熱圧着する方法が提案されている（例えば、特許文献１を参照。）。
【先行技術文献】
【特許文献】
【０００５】
【特許文献１】特開２００２−１０４５０１号公報
【発明の概要】
【発明が解決しようとする課題】
【０００６】
しかしながら、従来のキャリアテーピング梱包には、以下のような問題がある。何らかの理由によりトップカバーテープを熱圧着する前に電子部品が凹部からはみ出していた場合に、中央部も熱圧着すると、大きな機械的ストレスが電子部品に加わる。また、圧着治具に電子部品が挟み込まれやすい。これにより、電子部品が変形したり、破損したりする。
【０００７】
また、２ヶ所が熱圧着されている部分と、３ヶ所が熱圧着されている部分では、トップカバーテープの剥離強度が異なる。このため、トップカバーテープを剥離する際に、キャリアテープに周期的な振動が生じ、電子部品が凹部からはみ出しやすい。電子部品が凹部からはみ出すと、電子部品の取り出しが困難となり、実装工程が停止する。このため、電子部品の実装工程において作業効率が低下する。
【０００８】
本開示の課題は、電子部品の取り出しに問題が生じにくい電子部品の梱包体を実現できるようにすることである。
【課題を解決するための手段】
【０００９】
例示の梱包体は、長手方向に互いに間隔をおいて設けられ、それぞれに電子部品を収容可能な複数の凹部を有するキャリアテープと、複数の凹部を覆うようにキャリアテープと接着されたトップカバーテープとを備え、トップカバーテープは、折り曲げ加工され、折り山をキャリアテープ側にして接着されている。
【００１０】
例示の梱包体において、トップカバーテープは、幅方向の中央部が折り曲げ加工されていてもよい。
【００１１】
例示の梱包体において、トップカバーテープは、幅方向の複数の箇所が折り曲げ加工されていてもよい。
【００１２】
例示の梱包体において、トップカバーテープは、長手方向に連続して折り曲げ加工されていてもよい。
【００１３】
例示の梱包体において、トップカバーテープは、長手方向に断続的に折り曲げ加工されていてもよい。
【００１４】
例示の梱包体において、凹部に電子部品が収容されていてもよい。
【００１５】
例示の電子部品は、例示の梱包体により梱包されている。
【００１６】
例示の梱包方法は、長手方向に間隔をおいて設けられた複数の凹部を有するキャリアテープの凹部に電子部品を収容する工程と、折り曲げ加工されたトップカバーテープを、折り山をキャリアテープ側にして、凹部を覆うようにキャリアテープに接着する工程と、トップカバーテープを接着した後、キャリアテープを、リールに巻き取る工程とを備えている。
【００１７】
例示の電子部品の実装方法は、リールに巻き取られた、電子部品を収容した複数の凹部を有するキャリアテープと、折り曲げ加工されており、折り山をキャリアテープ側にして、複数の凹部を覆うようにキャリアテープに接着されているトップカバーテープとを有する梱包体を引き出す工程と、引き出された梱包体のトップカバーテープをキャリアテープから剥離し、凹部を露出させる工程と、露出した凹部に収容された電子部品を取り出す工程とを備えている。
【発明の効果】
【００１８】
本開示の電子部品の梱包体及び電子部品の梱包方法によれば、電子部品の取り出しに問題が生じにくくすることができる。
【図面の簡単な説明】
【００１９】
【図１】（ａ）〜（ｃ）は一実施形態に係る梱包体を示し、（ａ）は平面図であり、（ｂ）は（ａ）のＩｂ−Ｉｂ線における断面図であり、（ｃ）は（ａ）のＩｃ−Ｉｃ線における断面図である。
【図２】（ａ）及び（ｂ）は、一実施形態に係る梱包方法の一工程を示し、（ａ）は幅方向の断面図であり、（ｂ）は長手方向の側面図である。
【図３】一実施形態に係る梱包体をリールに巻き取った状態を示す斜視図である。
【図４】（ａ）〜（ｃ）は一実施形態に係る梱包体の第１変形例を示し、（ａ）は平面図であり、（ｂ）は（ａ）のIVｂ−IVｂ線における断面図であり、（ｃ）は（ａ）のIVｃ−IVｃ線における断面図である。
【図５】（ａ）〜（ｃ）は一実施形態に係る梱包体の第２変形例を示し、（ａ）は平面図であり、（ｂ）は（ａ）のＶｂ−Ｖｂ線における断面図であり、（ｃ）は（ａ）のＶ−Ｖｃ線における断面図である。
【図６】（ａ）〜（ｃ）は一実施形態に係る梱包体の第３変形例を示し、（ａ）は平面図であり、（ｂ）は（ａ）のVIｂ−VIｂ線における断面図であり、（ｃ）は（ａ）のVIｃ−VIｃ線における断面図である。
【発明を実施するための形態】
【００２０】
図１（ａ）は一実施形態に係る梱包体の平面構成を示し、図１（ｂ）は図１（ａ）のＩｂ−Ｉｂ線における断面構成を示し、図１（ｃ）は図１（ａ）のＩｃ−Ｉｃ線における断面構成を示している。図１（ａ）〜（ｃ）に示すように、梱包体は、キャリアテープ２０と、トップカバーテープ３０とを備え、半導体装置等の電子部品４０が梱包されている。
【００２１】
キャリアテープ２０は、エンボスキャリアテープとすることができる。キャリアテープ２０には、長手方向に互いに間隔をおいて複数の凹部２１が設けられている。凹部２１は、圧空成形、プレス成形、又は真空成形等により形成することができる。凹部２１のサイズは、収容する電子部品４０のサイズに合わせて設定されている。キャリアテープ２０の幅方向の端部の一方には複数の送り孔２２がキャリアテープ２０の長手方向に所定の間隔をおいて設けられている。送り孔２２を用いることにより、キャリアテープ２０を長手方向に容易に送ることができる。
【００２２】
トップカバーテープ３０は、凹部２１を覆うことができる幅を有する長尺のテープである。キャリアテープ２０が送り孔２２を有している場合には、トップカバーテープ３０の幅をキャリアテープ２０の送り孔２２を除いた部分の幅とほぼ同じにすることができる。トップカバーテープ３０は、折り曲げ加工されており、折り目３１を有している。トップカバーテープ３０は、折り目３１の折り山３２をキャリアテープ２０側にして凹部２１を覆うようにキャリアテープ２０に接着されている。折り曲げ加工は、トップカバーテープ３０の幅方向の中央部に連続して行われている。このため、トップカバーテープ３０の幅方向の中央部に、長手方向に連続して折り目３１がついている。トップカバーテープ３０とキャリアテープ２０との接着点２４は、凹部２１の幅方向の両側方に設けられている。接着点２４は、長手方向に連続して設けられている。トップカバーテープ３０とキャリアテープ２０との接着は熱圧着により行うことができる。
【００２３】
トップカバーテープ３０とキャリアテープ２０との接着は以下のようにして行うことができる。図２（ａ）は、トップカバーテープ３０とキャリアテープ２０とを接着する工程において、幅方向の断面を示し、図２（ｂ）は長手方向の側面を示している。
【００２４】
図２（ａ）、図２（ｂ）に示すように、キャリアテープ２０の上に折り曲げ加工されたトップカバーテープ３０を、凹部２１を覆うように配置する。次に、熱圧着治具５０により、トップカバーテープ３０をキャリアテープ２０と熱圧着する。熱圧着治具５０は、トップカバーテープ３０の幅方向の両端部付近を押圧するような押圧部５１を有している。押圧部５１により押圧する位置が、長手方向に重なるようにすれば、凹部２１の幅方向の両側方を長手方向に連続して接着することができる。押圧部５１により押圧する位置に重なりが生じないようにすれば、長手方向に断続的に接着することもできる。
【００２５】
本実施形態のトップカバーテープ３０は、幅方向の中央部が折り曲げ加工されている。このため、トップカバーテープ３０が熱圧着の際に湾曲しても、キャリアテープ２０とトップカバーテープ３０との間に隙間が生じにくい。従って、電子部品４０を凹部２１に安定した状態で収容することができ、梱包の際及び輸送の際に電子部品４０が凹部２１からはみ出しにくくすることができる。さらに、トップカバーテープ３０の剥離強度を一定にすることができるため、トップカバーテープ３０を剥離する際に電子部品４０の凹部２１からのはみ出しを生じにくくすることができる。その結果、電子部品４０の変形又は破損の発生を抑えることができる。また、取り出しの際の問題発生を抑えることができる。
【００２６】
トップカバーテープ３０の折り曲げ加工は、キャリアテープ２０との接着の直前に行うことができる。また、あらかじめ折り曲げ加工をしたトップカバーテープ３０を用意しておいてもよい。
【００２７】
凹部２１に電子部品４０を収容して、トップカバーテープ３０を接着した梱包体は、図３に示すように、リール６０に巻き取り、この状態でダンボール箱等に収容して出荷することができる。
【００２８】
電子部品４０を実装する際には、まず、送り孔２２を用いて、リール６０から梱包体を送り出す。次に、リール６０から送り出された梱包体のトップカバーテープ３０をキャリアテープ２０から剥離する。次に、露出した凹部２１から電子部品４０を取り出し、プリント配線基板（ＰＷＢ）等に実装する。電子部品４０の取り出しには、吸着ノズル等の吸着式の器具等を用いることができる。
【００２９】
本実施形態の電子部品の実装方法によれば、電子部品４０が凹部２１からはみ出しにくいため、電子部品４０の取り出しに問題が生じにくい。このため、電子部品４０を実装する工程の作業効率を向上させることができる。
【００３０】
本実施形態において、トップカバーテープ３０の折り目３１が、長手方向に連続して設けられている例を示したが、図４に示すように、折り目３１が長手方向に断続的に設けられている構成としてもよい。折り目３１を不連続とすることにより、リールに梱包体を巻き取る際に、梱包体がリールに沿って湾曲しやすくなる。これにより、リールに巻き取られた梱包体の変形を抑えることができる。
【００３１】
図５に示すように、幅方向に複数の折り目３１を設ける構成としてもよい。電子部品４０の収納形態又は収納装置等の影響により、幅方向に電子部品４０がはみ出しやすい場合が生じる。このような構成とすることにより、幅方向のはみ出しが生じやすい場合にも対応することができる。複数の折り目３１を設ける場合においても、図６に示すように、折り目３１が長手方向に断続的に設けられている構成としてもよい。図５及び図６において、折り目３１を幅方向に２つ設けた例を示したが、折り目３１を幅方向に３つ以上設けてもよい。
【００３２】
キャリアテープ２０としてエンボスキャリアテープを用いる例を示したが、キャリアテープ２０をプラスチック又は紙等からなるパンチキャリアテープとしてもよい。また、凹部２１に収容する電子部品４０として半導体装置を例に挙げたが、電子部品４０は半導体装置以外のチップ部品等としてもよい。
【００３３】
本実施形態において接着点２４が、長手方向に連続して設けられている例を示したが、接着点２４は長手方向に断続的に設けてもよい。
【産業上の利用可能性】
【００３４】
本開示の電子部品の梱包体及び電子部品の梱包方法は、電子部品の取り出しに問題が生じにくく、電子部品の梱包体及び電子部品の梱包方法等として有用である。
【符号の説明】
【００３５】
２０      キャリアテープ
２１      凹部
２２      送り孔
２４      接着点
３０      トップカバーテープ
３１      折り目
３２      折り山
４０      電子部品
５０      熱圧着治具
５１      押圧部
６０      リール
【図１】
2017013795.tif 000003
【図２】
2017013795.tif 000004
【図３】
2017013795.tif 000005
【図４】
2017013795.tif 000006
【図５】
2017013795.tif 000007
【図６】
2017013795.tif 000008